(57)【特許請求の範囲】
【請求項１】
左右のミルクラインにティートカップユニットが直接に又は計量器を介して複数台並べて連結され、前記ミルクライン内の気体を真空発生器により吸引することにより、乳牛の乳房から搾り取ったミルクを、前記ティートカップユニット内又はそれに加えて計量器内を通してミルクライン内に搬入する構造の搾乳装置に備えられたパーラー用の搾乳器具洗浄装置であって、
後端が封じられた洗浄液供給パイプが前記左右のミルクラインに並べて配設されて、その洗浄液供給パイプの先端がタンク内に貯留された洗浄液に導入され、その洗浄液供給パイプには、前記ティートカップユニットを装着して洗浄液供給パイプ内から洗浄液をティートカップユニット内に送り込むティートカップウォッシャーが複数台並べて連結されてなる搾乳器具洗浄装置において、
前記左右のミルクラインに並べて配設された洗浄液供給パイプ内の一方とその他方とをその洗浄液供給パイプ内に連なる前記タンク内の洗浄液に導入された洗浄液供給パイプの先端内に交互に連通させる切替え弁が付設されたことを特徴とするパーラー用の搾乳器具洗浄装置。
【請求項２】
前記左右のミルクラインに並べて配設された洗浄液供給パイプの先端側が一本化されて、その一本化された洗浄液供給パイプの先端が前記タンク内の洗浄液に導入され、前記一本化された洗浄液供給パイプの先端側とそれに連なる左右のミルクラインに並べて配設された洗浄液供給パイプ側との結合箇所には、その左右のミルクラインに並べて配設された洗浄液供給パイプ内の一方とその他方とを前記一本化された洗浄液供給パイプの先端内に交互に連通させる前記切替え弁が付設された請求項１記載のパーラー用の搾乳器具洗浄装置。
【請求項３】
前記洗浄液供給パイプの先端側内に外気を間欠的に送り込むエアーインジェクターが設けられた請求項１又は２記載のパーラー用の搾乳器具洗浄装置。
【請求項４】
前記左右のミルクラインの後端部間が第１継合ラインを介して連結されると共に、前記左右のミルクラインの先端部間が第２継合ラインを介して連結され、その第２継合ラインの中途部には、レシーバージャーが介装されて、前記左右のミルクライン内と第１継合ライン内と第２継合ライン内とレシーバージャー内とが一連にループ状に連通され、レシーバージャーには、該レシーバージャー内を通して前記ミルクライン内の気体を吸引する真空発生器が連結されると共に、該レシーバージャー内に溜まった洗浄水を前記タンク内に戻す洗浄液循環ポンプが付設された洗浄液循環パイプが連結され、前記レシーバージャーの一方の側に連結された第２継合ラインの中途部には、主洗浄液供給パイプの後端が連結されて、その主洗浄液供給パイプの先端が前記タンク内の洗浄液に導入され、その主洗浄液供給パイプには、該主洗浄液供給パイプ内を開閉する主開閉弁と、該主洗浄液供給パイプ内に外気を間欠的に送り込む主エアーインジェクターとが付設され、前記主洗浄液供給パイプの後端が連結された第２継合ラインの中途部に連なるレシーバージャー側の第２継合ライン部分には、該第２継合ライン部分内を開閉する開閉弁が付設され、さらに、主エアーインジェクターの動作中には、前記エアーインジェクターの動作を停止させる制御手段が備えられた請求項３記載のパーラー用の搾乳器具洗浄装置。
【発明の詳細な説明】
【０００１】
【発明の属する技術分野】
本発明は、複数頭の乳牛を並べて搾乳するパーラーに用いられる搾乳器具を洗浄するための、パーラー用の搾乳器具洗浄装置に関する。
【０００２】
【従来の技術】
上記パーラー内の乳牛を並べて配置する左右のピット（図示せず）には、図７に示したように、外径が３インチのステンレスパイプ製のミルクライン５０が配設されている。ミルクライン５０には、乳牛の乳房に装着されるティートカップユニット３０が、所定間隔ずつあけて複数台（図では少数台しか描かれていない）並べて連結されている。そして、真空発生器８０により、ミルクライン５０内の気体を吸引することにより、乳牛の乳房に装着されたティートカップユニット３０内を通して、乳牛の乳房から搾り取られたミルクが、ミルクライン５０内に搬入されるように構成されている。
【０００３】
このパーラー用の搾乳装置においては、同じ図７に示したように、左右のミルクライン５０に沿って、後端が封じられた外径が２インチのステンレス製の洗浄液供給パイプ１０が配設されている。そして、その洗浄液供給パイプ１０の先端が、タンク２０内に貯留された洗浄液に導入されている。洗浄液供給パイプ１０には、ティートカップユニット３０を装着して洗浄液供給パイプ１０内から洗浄液をティートカップユニット３０内に送り込むティートカップウォッシャー４０が、所定間隔ずつあけて複数台（図では少数台しか描かれていない）連結されている。
洗浄液供給パイプ１０、洗浄液が貯留されたタンク２０、ティートカップウォッシャー４０は、ティートカップユニット３０内を洗浄するための搾乳器具洗浄装置を構成している。
【０００４】
この搾乳器具洗浄装置においては、そのティートカップウォッシャー４０にティートカップユニット３０を装着して、真空発生器８０によりミルクライン５０内の気体を吸引することにより、ミルクライン５０内にティートカップユニット３０内及びティートカップウォッシャー４０内を通して連通する洗浄液供給パイプ１０内に負圧を発生させることができる。そして、タンク２０内の洗浄液を洗浄液供給パイプ１０内に吸い上げて、その洗浄液を、ティートカップウォッシャー４０に装着されたティートカップユニット３０内を通して、ミルクライン５０内に送り込むことができる。そして、その洗浄液により、ティートカップユニット３０内を洗浄できる。
【０００５】
【発明が解決しようとする課題】
しかしながら、上記の搾乳器具洗浄装置を用いて、左右のミルクライン５０に沿って並べて連結された複数台のティートカップユニット３０内を洗浄液により洗浄した場合には、その洗浄液供給パイプ１０の後端側に連結されたティートカップウォッシャー４０に装着されたティートカップユニット３０内に、洗浄液供給パイプ１０内から充分な量の洗浄液が送り込まれずに、その全てのティートカップユニット３０内を洗浄液により確実かつ充分に洗浄できなかった。
【０００６】
その理由は、タンク２０内から洗浄液供給パイプ１０内に吸い上げた洗浄液は、その洗浄液供給パイプ１０の先端側に連結されたティートカップウォッシャー４０に装着されたティートカップユニット３０内に多量に送り込まれてしまい、洗浄液供給パイプ１０の後端側には、洗浄液が充分に循環せずに、その洗浄液供給パイプ１０の後端側に連結されたティートカップウォッシャー４０に装着されたティートカップユニット３０内には、洗浄液供給パイプ１０内から送り込まれる洗浄液が少量となってしまうからである。
【０００７】
このような課題を解消するためには、タンク２０を大型化して、タンク２０内に貯留する洗浄液の量を充分に増やしたり、又はミルクライン５０内の気体を吸引する真空発生器８０を大型化して、真空発生器８０により吸引するミルクライン５０内の気体の吸引量を増やしたりする方法がある。
【０００８】
しかしながら、そうした場合は、その大型化したタンク２０や真空発生器８０の設備費が嵩んだり、その大型化したタンク２０や真空発生器８０の設置スペースが広くなって、パーラーが大型化し、パーラーの設備費が嵩んだりした。
【０００９】
本発明は、このような課題に鑑みてなされたもので、タンクや真空発生器を大型化せずとも、洗浄液供給パイプの後端側にも、充分な量の洗浄液を循環させて、その洗浄液供給パイプの後端側に連結されたティートカップウォッシャーに装着されたティートカップユニット内をも洗浄液により確実かつ充分に洗浄できる、パーラー用の搾乳器具洗浄装置（以下、洗浄装置という）を提供することを目的としている。
【００１０】
【課題を解決するための手段】
上記の目的を達成するために、本発明の洗浄装置は、左右のミルクラインにティートカップユニットが直接に又は計量器を介して複数台並べて連結され、前記ミルクライン内の気体を真空発生器により吸引することにより、乳牛の乳房から搾り取ったミルクを、前記ティートカップユニット内又はそれに加えて計量器内を通してミルクライン内に搬入する構造の搾乳装置に備えられたパーラー用の搾乳器具洗浄装置であって、
後端が封じられた洗浄液供給パイプが前記左右のミルクラインに並べて配設されて、その洗浄液供給パイプの先端がタンク内に貯留された洗浄液に導入され、その洗浄液供給パイプには、前記ティートカップユニットを装着して洗浄液供給パイプ内から洗浄液をティートカップユニット内に送り込むティートカップウォッシャーが複数台並べて連結されてなる搾乳器具洗浄装置において、
前記左右のミルクラインに並べて配設された洗浄液供給パイプ内の一方とその他方とをその洗浄液供給パイプ内に連なる前記タンク内に導入された洗浄液供給パイプの先端内に交互に連通させる切替え弁が付設されたことを特徴としている。
【００１１】
この洗浄装置においては、左右のミルクラインに並べて配設された洗浄液供給パイプに連結されたティートカップウォッシャーに、ミルクラインに連結されたティートカップユニットを装着できる。そして、真空発生器によりミルクライン内の気体を吸引して、そのミルクライン内にティートカップユニット内とティートカップウォッシャー内又はそれに加えて計量器内を通して連通する洗浄液供給パイプ内に負圧を発生させることができる。それと共に、切替え弁を操作して、左右のミルクラインに並べて配設された洗浄液供給パイプ内の一方とその他方とを、その洗浄液供給パイプ内に連なるタンク内の洗浄液に導入された洗浄液供給パイプの先端内に交互に連通させることができる。そして、その左右のミルクラインに並べて配設された洗浄液供給パイプ内の一方とその他方とに、タンク内の洗浄液を交互に吸い込むことができる。そして、その洗浄液供給パイプ内の一方と他方に交互に吸い込んだ洗浄液を、ティートカップウォッシャー内とティートカップユニット内又はそれに加えて計量器内を通して、ミルクライン内に送り込むことができる。そして、その洗浄液により、ティートカップユニット内又はそれに加えて計量器内を洗浄できる。
【００１２】
その際には、切替え弁を操作して、タンク内の洗浄液を左右のミルクラインに並べて配設された洗浄液供給パイプ内の一方とその他方とに交互に吸い込むため、左右のミルクラインに並べて配設された洗浄液供給パイプにタンク内の洗浄液を同時に吸い込んだ場合と比べて、その左右のミルクラインに並べて配設された洗浄液供給パイプ内の一方又はその他方にタンク内から吸い込む洗浄液の量を大幅に増やすことができる。そして、その一方又は他方の洗浄液供給パイプ内に大量に吸い込んだ洗浄液を、その洗浄液供給パイプ内の一方又は他方の後端側にも充分な量循環させることができる。そして、その洗浄液供給パイプの後端側に連結されたティートカップウォッシャーに装着されたティートカップユニット内又はそれに加えて計量器内にも、洗浄液供給パイプ内から充分な量の洗浄液を送り込んで、その充分な量の洗浄液によりティートカップユニット内又はそれに加えて計量器内を確実かつ充分に洗浄できる。
【００１３】
また、本発明の洗浄装置においては、前記左右のミルクラインに並べて配設された洗浄液供給パイプの先端側が一本化されて、その一本化された洗浄液供給パイプの先端が前記タンク内の洗浄液に導入され、前記一本化された洗浄液供給パイプの先端側とそれに連なる左右のミルクラインに並べて配設された洗浄液供給パイプ側との結合箇所には、その左右のミルクラインに並べて配設された洗浄液供給パイプ内の一方とその他方とを一本化された洗浄液供給パイプの先端内に交互に連通させる前記切替え弁が付設された構造とすることを好適としている。
【００１４】
この洗浄装置にあっては、左右のミルクラインに並べて配設された洗浄液供給パイプの先端側が一本化された分、その洗浄液供給パイプの先端側の構造を簡易化できる。
【００１５】
また、その一本化された洗浄液供給パイプの先端側とそれに連なる左右のミルクラインに並べて配設された洗浄液供給パイプ側との結合箇所に、左右のミルクラインに並べて配設された洗浄液供給パイプ内の一方とその他方とを一本化された洗浄液供給パイプの先端内に交互に連通させる１個の共通の切替え弁を付設すれば良く、その切替え弁の付設数を低減できる。
【００１６】
また、本発明の洗浄装置においては、洗浄液供給パイプの先端側内に外気を間欠的に送り込むエアーインジェクターが設けられた構造とすることを好適としている。
【００１７】
この洗浄装置にあっては、エアーインジェクターを動作させて、洗浄液供給パイプの先端側内に外気を間欠的に送り込むことができる。そして、その外気により、タンク内から洗浄液供給パイプの先端側内に吸い込んだ洗浄液を、切替え弁により洗浄液供給パイプの先端内と連通させた状態にある洗浄液供給パイプ内の一方又はその他方に繰り返し強制的に押し込むことができる。そして、その洗浄液を、洗浄液供給パイプ内の一方又はその他方の全体に亙って確実かつ迅速に強制循環させることができる。そして、その洗浄液を、洗浄液供給パイプの一方又はその他方に連結されたティートカップウォッシャーに装着されたティートカップユニット内又はそれに加えて計量器内に確実かつ迅速に強制循環させることができる。そして、その洗浄液により、ティートカップユニット内又はそれに加えて計量器内を確実かつ迅速に洗浄できる。
【００１８】
また、洗浄液供給パイプの先端側が一本化された洗浄装置にあっては、その一本化された洗浄液供給パイプの先端側内に外気を間欠的に送り込む共通の１個のエアーインジェクタを付設すれば良く、そのエアーインジェクターの付設数を低減できる。
【００１９】
また、本発明の洗浄装置においては、前記左右のミルクラインの後端部間が第１継合ラインを介して連結されると共に、前記左右のミルクラインの先端部間が第２継合ラインを介して連結され、その第２継合ラインの中途部には、レシーバージャーが介装されて、前記左右のミルクライン内と第１継合ライン内と第２継合ライン内とレシーバージャー内とが一連にループ状に連通され、レシーバージャーには、該レシーバージャー内を通して前記ミルクライン内の気体を吸引する真空発生器が連結されると共に、該レシーバージャー内に溜まった洗浄水を前記タンク内に戻す洗浄液循環ポンプが付設された洗浄液循環パイプが連結され、前記レシーバージャーの一方の側に連結された第２継合ラインの中途部には、主洗浄液供給パイプの後端が連結されて、その主洗浄液供給パイプの先端が前記タンク内の洗浄液に導入され、その主洗浄液供給パイプには、該主洗浄液供給パイプ内を開閉する主開閉弁と、該主洗浄液供給パイプ内に外気を間欠的に送り込む主エアーインジェクターとが付設され、前記主洗浄液供給パイプの後端が連結された第２継合ラインの中途部に連なるレシーバージャー側の第２継合ライン部分には、該第２継合ライン部分内を開閉する開閉弁が付設され、さらに、主エアーインジェクターの動作中には、前記エアーインジェクターの動作を停止させる制御手段が備えられた構造とすることを好適としている。
【００２０】
この洗浄装置にあっては、ミルクライン内を洗浄する場合に、主開閉弁を操作して、主洗浄液供給パイプ内を開放させることができる。それと共に、開閉弁を操作して、主洗浄液供給パイプの後端が連結された第２継合ラインの中途部とレシーバージャーとを繋いでいる第２継合ライン部分内を閉じることができる。次いで、真空発生器により、レシーバージャー内及び第２継合ライン内を通してミルクライン内の気体を吸引して、ミルクライン内及びそのミルクライン内に第２継合ライン内を通して連通する主洗浄液供給パイプ内に負圧を発生させることができる。そして、タンク内の洗浄液を、主洗浄液供給パイプ内に吸い込むことができる。そして、その洗浄液を、主洗浄液供給パイプ内に連通する開閉弁により閉じられた側とは反対側の第２継合ライン部分内とミルクライン内と第１継合ライン内と第２継合ライン部分内を通して、レシーバージャー内に強制循環させることができる。そして、その洗浄液により、ミルクライン内を洗浄できる。
【００２１】
また、ティートカップユニット内を洗浄する場合には、主開閉弁を操作して、主洗浄液供給パイプ内を閉じることができる。それと共に、開閉弁を操作して、主洗浄液供給パイプの後端が連結された第２継合ラインの中途部とレシーバージャーとを繋いでいる第２継合ライン部分内を開くことができる。次いで、真空発生器により、レシーバージャー内及び第２継合ライン内を通してミルクライン内の気体を吸引して、ミルクライン内にティートカップユニット内等を通して連通する洗浄液供給パイプ内に負圧を発生させることができる。そして、タンク内の洗浄液を、洗浄液供給パイプ内に吸い込むことができる。そして、その洗浄液を、ティートカップユニット内等を通してミルクライン内に循環させることができる。そして、その洗浄液により、ティートカップユニット内を洗浄できる。その際には、主洗浄液供給パイプ内が主開閉弁により閉じられているため、その主洗浄液供給パイプ内にタンク内の洗浄液が吸い込まれるのを防止できる。
【００２２】
ミルクライン内やティートカップユニット内を洗浄し終えてレシーバージャー内に溜まった洗浄水は、洗浄液循環ポンプを動作させて、洗浄液循環パイプ内を通して、タンク内に戻すことができる。そして、その洗浄液を、ミルクライン内やティートカップユニット内を洗浄する洗浄液に再利用できる。
【００２３】
また、ミルクライン内を洗浄する場合には、主エアーインジェクターを動作させて、外気を主洗浄液供給パイプ内に間欠的に送り込むことができる。そして、その外気により、主洗浄液供給パイプ内に吸い込んだ洗浄液を、スラグ流（弾丸流）として、ミルクライン内に送り込むことができる。そして、そのスラグ流とした洗浄液により、ミルクラインの内周壁全体を余すところなく確実に洗浄できる。
【００２４】
また、主エアーインジェクターの動作中には、制御手段により、洗浄液供給パイプの先端側に付設されたエアーインジェクターの動作を停止させることができる。そして、主エアーインジェクターとエアーインジェクターとが同時に動作して、主洗浄液供給パイプ内と洗浄液供給パイプ内とに外気が同時に送り込まれるのを防ぐことができる。そして、その主洗浄液供給パイプ内と洗浄液供給パイプ内とに第２継合ライン内やティートカップユニット内等を通して連通するミルクライン内が大気圧に近い状態となって、そのミルクライン内にレシーバージャー内を通して真空発生器から気体の吸引力が働かなくなるのを防ぐことができる。そして、タンク内の洗浄液を、主洗浄液供給パイプ内を通してミルクライン内に吸い込んだり、洗浄液供給パイプ内とティートカップユニット内等を通してミルクライン内に吸い込んだりできなくなるのを防ぐことができる。
【００２５】
【発明の実施の形態】
次に、本発明の実施の形態を図面に従い説明する。
図１又は図２は本発明の洗浄装置の好適な実施の形態を示し、図１又は図２はその概略構造説明図である。以下に、この洗浄装置を説明する。
【００２６】
図１の洗浄装置では、ティートカップユニット３０が、ミルクライン５０に直接に連結されている。そして、乳房から搾り取られたミルクが、ティートカップユニット３０内を通して、ミルクライン５０内に直接に搬入されるように構成されている。
図２の洗浄装置では、ティートカップユニット３０が、搾乳量を計測する計量器６０を介して、洗浄液供給パイプ１０に連結されている。そして、乳房から搾り取られたミルクが、ティートカップユニット３０内と計量器６０内とを通して、ミルクライン５０内に搬入されるように構成されている。
【００２７】
左右のミルクライン５０に並べて配設された洗浄液供給パイプ１０の先端側には、切替え弁１００がそれぞれ付設されている。そして、その切替え弁１００を操作することにより、左右のミルクライン５０に並べて配設された洗浄液供給パイプ１０内の一方とその他方とを、その洗浄液供給パイプ１０内に連なるタンク２０内の洗浄液に導入された洗浄液供給パイプ１０の先端内に交互に連通させることができるように構成されている。
【００２８】
具体的には、左右のミルクライン５０に沿って洗浄液供給パイプ１０が１本ずつ配設されて、その２本の洗浄液供給パイプ１０の先端が、タンク２０内の洗浄液に共に導入されている。また、その２本の洗浄液供給パイプ１０の先端側には、二方弁からなる切替え弁１００がそれぞれ付設されている。そして、その２個の切り替え弁１００を交互に閉じたり開いたりすることにより、左右のミルクライン５０に並べて配設された洗浄液供給パイプ１０内の一方とその他方とを、その洗浄液供給パイプ１０内に連なるタンク２０内の洗浄液に導入された洗浄液供給パイプ１０の先端内に交互に連通させることができるように構成されている。
【００２９】
その他は、図７に示した前述の洗浄装置と同様に構成されていて、この洗浄装置においては、左右のミルクライン５０に並べて配設された洗浄液供給パイプ１０に連結されたティートカップウォッシャー４０に、ティートカップユニット３０を装着できる。また、真空発生器８０により、左右のミルクライン５０内の気体を吸引して、その左右のミルクライン５０内にティートカップユニット３０内とティートカップウォッシャー４０内又はそれに加えて計量器６０内を通して連通する洗浄液供給パイプ１０内に負圧を発生させることができる。それと共に、切替え弁１００を操作して、左右のミルクライン５０に並べて配設された洗浄液供給パイプ１０内の一方とその他方とを、その洗浄液供給パイプ１０内に連なるタンク２０内の洗浄液に導入された洗浄液供給パイプ１０の先端内に交互に連通させることができる。そして、その左右のミルクライン５０に並べて配設された洗浄液供給パイプ１０内の一方とその他方とに、タンク２０内に貯留された洗浄液を交互に吸い込むことができる。そして、その洗浄液供給パイプ１０内の一方とその他方とに交互に吸い込んだ洗浄液を、その洗浄液供給パイプ１０に連結されたティートカップウォッシャー４０に装着されたティートカップユニット３０内、又はそれに加えて計量器６０内を通して、ミルクライン５０内に送り込むことができる。そして、その洗浄液により、ティートカップユニット３０内又はそれに加えて計量器６０内を洗浄できる。
【００３０】
その際には、切替え弁１００を操作して、タンク２０内の洗浄液を左右のミルクライン５０に並べて配設された洗浄液供給パイプ１０内の一方とその他方とに交互に吸い込むようにして、その洗浄液供給パイプ１０内の一方又は他方にタンク２０内から吸い込む洗浄液の量を充分に増やすことができる。そして、その洗浄液を、その洗浄液供給パイプ１０内の一方又はその他方の後端側にも充分な量循環させることができる。そして、その洗浄液供給パイプ１０内の一方又はその他方の後端側に連結されたティートカップウォッシャー４０に装着されたティートカップユニット３０内、又はそれに加えて計量器６０内にも、洗浄液供給パイプ１０内から充分な量の洗浄液を送り込んで、そのティートカップユニット３０内又はそれに加えて計量器９０内を充分な量の洗浄液により確実かつ充分に洗浄できる。
【００３１】
図３は本発明の洗浄装置の他の好適な実施の形態を示し、図３はその概略構造説明図である。以下に、この洗浄装置を説明する。
【００３２】
図の洗浄装置では、洗浄液供給パイプ１０の先端側に、洗浄液供給パイプ１０内に外気を間欠的に送り込むエアーインジェクター２００が付設されている。
具体的には、左右のミルクライン５０に並べて配設された２本の洗浄液供給パイプ１０の先端側に、エアーインジェクター２００がそれぞれ付設されている。エアーインジェクター２００は、電磁弁等により構成されている。
【００３３】
その他は、図１に示した前述の洗浄装置と同様に構成されていて、この洗浄装置においては、エアーインジェクター２００を動作させて、洗浄液供給パイプ１０の先端側内に外気を間欠的に送り込むことができる。そして、その外気により、タンク２０内から洗浄液供給パイプ１０内に吸い込んだ洗浄液を、切替え弁１００により連通させた状態にある左右のミルクライン５０に並べて配設された洗浄液供給パイプ１０内の一方又はその他方に繰り返し強制的に押し込むことができる。そして、その洗浄液を、左右のミルクライン５０に並べて配設された洗浄液供給パイプ１０内の一方又はその他方の全体に亙って確実かつ迅速に強制循環させることができる。そして、その洗浄液を、洗浄液供給パイプ１０の一方又はその他方に連結されたティートカップウォッシャー４０に装着されたティートカップユニット３０内を通して、ミルクライン５０内に確実かつ迅速に送り込むことができる。そして、その洗浄液により、ティートカップユニット３０内を確実かつ迅速に洗浄できる。
【００３４】
このエアーインジェクタ２００を備えた洗浄装置は、図２に示したティートカップユニット３０が計量器６０を介してミルクライン５０に連結された構造の洗浄装置にも、利用可能である。その場合も、エアーインジェクタ２００により洗浄液供給パイプ１０の先端側内に間欠的に送り込む外気により、左右のミルクライン５０に並べて配設された洗浄液供給パイプ１０内の一方又はその他方の全体に亙って洗浄液を確実かつ迅速に強制循環させることができる。そして、その洗浄液により、ティートカップユニット３０内に加えて、ティートカップユニット３０内に連なる計量器６０内をも、確実かつ迅速に洗浄できる。
【００３５】
図４は本発明の洗浄装置のもう一つの好適な実施の形態を示し、図４はその概略構造説明図である。以下に、この洗浄装置を説明する。
【００３６】
この洗浄装置では、左右のミルクライン５０に並べて配設された２本の洗浄液供給パイプ１０の先端側が一本化されている。そして、その一本化された洗浄液供給パイプ１０の先端が、タンク２０内の洗浄液に導入されている。
一本化された洗浄液供給パイプ１０の先端側とそれに連なる左右のミルクライン５０に並べて配設された２本の洗浄液供給パイプ１０側との結合箇所１２には、その２本の洗浄液供給パイプ１０内の一方とその他方とを、その洗浄供給パイプ１０内に連なる一本化された洗浄液供給パイプ１０の先端内に交互に連通させる切替え弁１００が付設されている。切替え弁１００には、三方弁が用いられていて、該三方弁を操作することにより、その２本の洗浄液供給パイプ１０内の一方又はその他方と一本化された洗浄液供給パイプ１０の先端内とを交互に連通させることができるように構成されている。
【００３７】
その他は、図１に示した前述の洗浄装置と同様に構成されていて、この洗浄装置においては、左右のミルクライン５０に並べて配設された２本の洗浄液供給パイプ１０の先端側が一本化された分、その一本化された洗浄液供給パイプ１０の先端側の構造を簡易化できる。
【００３８】
また、その一本化された洗浄液供給パイプ１０の先端側とそれに連なる左右のミルクライン５０に並べて配設された２本の洗浄液供給パイプ１０側との結合箇所１２に１個の共通の切替え弁１００を付設するだけで良く、切替え弁１００の付設数を低減できる。
【００３９】
図４の洗浄液供給パイプ１０の先端側が一本化された洗浄装置は、図２又は図３に示した洗浄装置にも利用可能であり、その場合も、図４に示した洗浄装置とほぼ同様な作用を持つ洗浄装置を提供できる。
【００４０】
図５は本発明の洗浄装置のもう一つの好適な実施の形態を示し、図５はその概略構造説明図である。以下に、この洗浄装置を説明する。
【００４１】
この洗浄装置では、図４に示した洗浄装置の一本化された洗浄液供給パイプ１０の先端側に、洗浄液供給パイプ１０内に外気を間欠的に送り込むエアーインジェクター２００が設けられている。エアーインジェクター２００は、電磁弁等により構成されている。
【００４２】
その他は、図４に示した洗浄装置と同様に構成されていて、この洗浄装置においては、洗浄液供給パイプ１０の先端側内に外気を送り込んで、その外気により洗浄液供給パイプ１０の先端側内と連通した状態にある洗浄液供給パイプ１０内の一方又はその他方に洗浄液を繰り返し強制的に押し込む１個の共通のエアーインジェクタ２００を一本化された洗浄液供給パイプ１０の先端側に付設すれば良く、そのエアーインジェクター２００の付設数を低減できる。
図５の洗浄装置のその他の作用は、図３に示した洗浄装置と同様である。
【００４３】
図６は本発明の洗浄装置のもう１つの好適な実施の形態を示し、図６はその概略構造説明図である。以下に、この洗浄装置を説明する。
【００４４】
この洗浄装置では、左右のミルクライン５０の後端部間が第１継合ライン５２を介して連結されていると共に、左右のミルクライン５０の先端部間が第２継合ライン５４を介して連結されている。第２継合ライン５４の中途部には、レシーバージャー７０が介装されている。そして、左右のミルクライン５０内と第１継合ライン５２内と第２継合ライン５４内とレシーバージャー７０内とが一連にループ状に連通されている。
【００４５】
レシーバージャー７０には、該レシーバージャー内を通してミルクライン５０内の気体を吸引する真空発生器８０が連結されていると共に、レシーバージャー７０内に溜まった洗浄水をタンク２０内に戻す洗浄液循環ポンプ９２が付設された洗浄液循環パイプ９０が連結されている。
【００４６】
レシーバージャー７０の一方の側に連結された第２継合ライン５４の中途部には、主洗浄液供給パイプ３００の後端が連結されて、その主洗浄液供給パイプ３００の先端がタンク２０内の洗浄液に導入されている。主洗浄液供給パイプ３００には、該主洗浄液供給パイプ内を開閉する二方弁からなる主開閉弁３０２と、該主洗浄液供給パイプ内に外気を間欠的に送り込む主エアーインジェクター３０４とが付設されている。主洗浄液供給パイプ３００の後端が連結された第２継合ライン５４の中途部に連なるレシーバージャー７０側の第２継合ライン５４部分には、該第２継合ライン部分内を開閉する二方弁からなる開閉弁３０６が付設されている。
【００４７】
主エアーインジェクター３０４と洗浄液供給パイプ１０の先端側に付設されたエアーインジェクター２００とに亙っては、制御手段４００が備えられている。そして、その制御手段４００により、主エアーインジェクター３０４の動作中には、エアーインジェクター２００の動作を停止させることができるように構成されている。
【００４８】
その他は、図３に示した洗浄装置と同様に構成されていて、この洗浄装置においては、ミルクライン５０内を洗浄する場合に、主開閉弁３０２を操作して、主洗浄液供給パイプ３００内を開くことができる。それと共に、開閉弁３０６を操作して、主洗浄液供給パイプ３００の後端が連結された第２継合ライン５４の中途部とレシーバージャー７０とを繋いでいる第２継合ライン５４部分内を閉じることができる。次いで、真空発生器８０により、レシーバージャー７０内の気体を吸引して、ミルクライン５０内とそれに第２継合ライン５４内を通して連通する主洗浄液供給パイプ３００内とに負圧を発生させることができる。そして、タンク２０内の洗浄液を、主洗浄液供給パイプ３００内に吸い込むことができる。そして、その洗浄液を、開閉弁３０６により閉じられた側とは反対側の第２継合ライン５４部分内、ミルクライン５０内、第１継合ライン５２内、第２継合ライン５４部分内を通して、レシーバージャー７０内に強制循環させることができる。そして、その洗浄液により、ミルクライン５０内を洗浄できる。
【００４９】
また、ティートカップユニット３０内を洗浄する場合には、主開閉弁３０２を操作して、主洗浄液供給パイプ３００内を閉じることができる。それと共に、開閉弁３０６を操作して、主洗浄液供給パイプ３００の後端が連結された第２継合ライン５４の中途部とレシーバージャー７０とを繋いでいる第２継合ライン５４部分内を開くことができる。次いで、真空発生器８０により、レシーバージャー７０内及び第２継合ライン５４内を通してミルクライン５０内の気体を吸引して、ミルクライン５０内にティートカップユニット３０内等を通して連通する洗浄液供給パイプ１０内に負圧を発生させることができる。そして、タンク２０内の洗浄液を、洗浄液供給パイプ１０内に吸い込むことができる。そして、その洗浄液を、ティートカップユニット３０内等を通してミルクライン５０内に循環させることができる。そして、その洗浄液により、ティートカップユニット３０内を洗浄できる。その際には、主洗浄液供給パイプ３００内が主開閉弁３０２により閉じられているため、その主洗浄液供給パイプ３００内にタンク２０内の洗浄液が吸い込まれるのを防止できる。
【００５０】
ミルクライン５０内やティートカップユニット３０内を洗浄し終えてレシーバージャー７０内に溜まった洗浄水は、洗浄液循環ポンプ９２を動作させて、洗浄液循環パイプ９０内を通して、タンク２０内に戻すことができる。そして、その洗浄液を、ミルクライン５０内やティートカップユニット３０内を洗浄する洗浄液に再利用できる。
【００５１】
また、ミルクライン５０内を洗浄する場合には、主エアーインジェクター３０４を動作させて、その主エアーインジェクター３０４から外気を主洗浄液供給パイプ３００内に間欠的に送り込むことができる。そして、その外気により、主洗浄液供給パイプ３００内を通してミルクライン５０内に送り込む洗浄液を、スラグ流（弾丸流）とすることができる。そして、そのスラグ流とした洗浄液により、ミルクライン５０の内周壁の全体を余すところなく確実に洗浄できる。
【００５２】
また、主エアーインジェクター３０４の動作中には、制御手段４００により、洗浄液供給パイプ１０の先端側に付設されたエアーインジェクター２００の動作を停止させることができる。そして、主エアーインジェクター３０４とエアーインジェクター２００とが同時に動作して、主洗浄液供給パイプ３００内と洗浄液供給パイプ１０内とに外気が同時に送り込まれるのを防ぐことができる。そして、その主洗浄液供給パイプ３００内と洗浄液供給パイプ１０内とに第２継合ライン５４内やティートカップユニット３０内等を通して連通するミルクライン５０内が大気圧に近い状態となって、そのミルクライン５０内にレシーバージャー７０内を通して真空発生器８０から気体の吸引力が働かなくなるのを防ぐことができる。そして、タンク２０内の洗浄液を、主洗浄液供給パイプ３００内を通してミルクライン５０内に吸い込んだり、洗浄液供給パイプ１０内とティートカップユニット３０内等を通してミルクライン５０内に吸い込んだりできなくなるのを防ぐことができる。
【００５３】
図１ないし図６に示した洗浄装置は、左右のミルクライン５０に洗浄液供給パイプ１０が２本以上ずつ並べて配設された構造のパーラー用の搾乳装置にも、利用可能である。その場合も、図１ないし図６に示した洗浄装置と同様にして、その左右のミルクライン５０に沿って２本以上ずつ並べて配設された洗浄液供給パイプ１０の後端側にも、充分な量の洗浄液を確実に強制循環させることができる。そして、その洗浄液により、洗浄液供給パイプ１０の後端側に連結されたティートカップウォッシャー４０に装着されたティートカップユニット３０内又はそれに加えて計量器６０内をも確実かつ充分に洗浄できる。
【００５４】
【発明の効果】
以上説明したように、本発明の洗浄装置によれば、タンクを大型化して、タンク内に溜める洗浄液の量を増やしたり、真空発生器を大型化して、その真空発生器により吸引するミルクライン内の気体の吸引量を増やしたりせずとも、左右のミルクラインに並べて配設された洗浄液供給パイプの後端側にも、充分な量の洗浄液を循環させることができる。そして、その洗浄液供給パイプの後端側に連結されたティートカップウォッシャーに装着されたティートカップユニット内又はそれに連なる計量器内にも、充分な量の洗浄液を強制的に送り込むことができる。そして、その洗浄液により、ティートカップユニット内又はそれに連なる計量器内を余すところなく確実に充分に洗浄できる。
【００５５】
また、上記のように、タンクを大型化したり、真空発生器を大型化したりする必要がないため、そのタンクや真空発生器の設備コストを少なく抑えたり、そのそのタンクや真空発生器の設置スペースを少なく抑えて、パーラーを小型化し、パーラーの設備費を少なく抑えたりできる。
それと共に、タンク内に貯留する洗浄水の量を少なく抑えて、洗浄水を節約できる。
【図面の簡単な説明】
【図１】本発明の洗浄装置の概略構造説明図である。
【図２】本発明の洗浄装置の概略構造説明図である。
【図３】本発明の洗浄装置の概略構造説明図である。
【図４】本発明の洗浄装置の概略構造説明図である。
【図５】本発明の洗浄装置の概略構造説明図である。
【図６】本発明の洗浄装置の概略構造説明図である。
【図７】従来の洗浄装置の概略構造説明図である。
【符号の説明】
１０  洗浄液供給パイプ
２０  タンク
３０  ティートカップユニット
４０  ティートカップウォッシャー
５０  ミルクライン
５２  第１継合ライン
５４  第２継合ライン
６０  計量器
７０  レシーバージャー
８０  真空発生器
９０  洗浄液循環パイプ
９２  洗浄液循環ポンプ
１００  切替え弁
２００  エアーインジェクター
３００  主洗浄液供給パイプ
３０２  主開閉弁
３０４  主エアーインジェクター
３０６  開閉弁
４００  制御手段
【図１】
0003865281.tif 000002
【図２】
0003865281.tif 000003
【図３】
0003865281.tif 000004
【図４】
0003865281.tif 000005
【図５】
0003865281.tif 000006
【図６】
0003865281.tif 000007
【図７】
0003865281.tif 000008